(57)【特許請求の範囲】
【請求項１】
水平面に対して液体吐出面が傾けられたインクジェットヘッドの前記液体吐出面に対応して水平面に対して傾けられた洗浄液保持面を具備し、前記洗浄液保持面と前記液体吐出面とを対向させた状態において、前記洗浄液保持面が前記液体吐出面との間に所定の間隔を有するように配置される構造を有する洗浄液保持手段と、
前記インクジェットヘッドの液体吐出面と前記洗浄液保持面とを対向させ、前記液体吐出面と前記洗浄液保持面との前記所定の間隔を一定に保ちつつ、前記洗浄液保持面と平行な面内において、前記インクジェットヘッドと前記洗浄液保持手段とを相対的に移動させる相対移動手段と、
前記洗浄液保持面と前記液体吐出面とを対向させた状態において、前記洗浄液保持面の傾斜の上部から前記洗浄液保持面に対して洗浄液を供給する洗浄液供給口を具備する洗浄液供給手段と、
を備え、
前記洗浄液供給手段は、前記洗浄液供給口の前記洗浄液保持手段を基準とした前記インクジェットヘッドの移動方向下流側の外縁が、前記洗浄液保持面の前記移動方向における中央よりも上流側に配置される構造を有し、前記洗浄液保持面と前記液体吐出面との間にメニスカスを形成しつつ、前記洗浄液保持面に供給された洗浄液が前記液体吐出面に接触しながら前記洗浄液保持面の傾斜を滑り落ちるように構成されることを特徴とするヘッド洗浄装置。
【請求項２】
請求項１に記載のヘッド洗浄装置において、
前記相対移動手段は、前記洗浄液保持手段を固定配置して前記インクジェットヘッドを移動させ、
前記洗浄液供給手段は、前記洗浄液供給口の前記インクジェットヘッドの移動方向下流側の外縁が、前記洗浄液保持面の前記インクジェットヘッドの移動方向における中央よりも上流側に配置される構造を有することを特徴とするヘッド洗浄装置。
【請求項３】
請求項１又は２に記載のヘッド洗浄装置において、
前記洗浄液供給口は、前記洗浄液保持面に設けられることを特徴とするヘッド洗浄装置。
【請求項４】
請求項１乃至３のいずれかに記載のヘッド洗浄装置において、
前記洗浄液保持面の傾斜方向の長さは、洗浄対象のインクジェットヘッドの傾斜方向における長さ以上であることを特徴とするヘッド洗浄装置。
【請求項５】
請求項１乃至４のいずれかに記載のヘッド洗浄装置において、
前記洗浄液保持手段は、複数のヘッドに対応する複数の洗浄液保持面を有することを特徴とするヘッド洗浄装置。
【請求項６】
請求項１乃至５のいずれかに記載のヘッド洗浄装置において、
前記洗浄液保持面の傾斜方向の長さは、記録媒体の最大幅に対応する長さにわたって複数のノズルが設けられたライン型インクジェットヘッドにおける短手方向の長さ以上であり、
前記相対移動手段は、前記ライン型インクジェットヘッドの長手方向について、前記ライン型インクジェットヘッドを前記洗浄液保持手段に対して所定の速度で移動させることを特徴とするヘッド洗浄装置。
【請求項７】
水平面に対して液体吐出面が傾けられて配置されたインクジェットヘッドと、
前記インクジェットヘッドの液体吐出面に対応して水平面に対して傾けられた洗浄液保持面を具備するとともに、前記洗浄液保持面と前記液体吐出面とを対向させた状態において、前記洗浄液保持面が前記液体吐出面との間に所定の間隔を有するように配置される構造を有する洗浄液保持手段を具備し、前記インクジェットヘッドの液体吐出面に洗浄液を塗布するヘッド洗浄装置と、
前記インクジェットヘッドの液体吐出面と前記洗浄液保持面とを対向させ、前記液体吐出面と前記洗浄液保持面との前記所定の間隔を一定に保ちつつ、前記洗浄液保持面と平行な面内において前記インクジェットヘッドと前記洗浄液保持手段とを相対的に移動させる相対移動手段と、
を備え、
前記ヘッド洗浄装置は、前記洗浄液保持面と前記液体吐出面とを対向させた状態において、前記洗浄液保持面の傾斜の上部から前記洗浄液保持面に対して洗浄液を供給する洗浄液供給口を具備する洗浄液供給手段を備えるとともに、
前記洗浄液供給手段は、前記洗浄液供給口の前記洗浄液保持手段を基準とした前記インクジェットヘッドの移動方向下流側の外縁が、前記洗浄液保持面の前記移動方向における中央よりも上流側に配置される構造を有し、前記洗浄液保持面と前記液体吐出面との間にメニスカスを形成しつつ、前記洗浄液保持面に供給された洗浄液が前記液体吐出面に接触しながら前記洗浄液保持面の傾斜を滑り落ちるように構成されることを特徴とする画像形成装置。
【請求項８】
請求項７に記載の画像形成装置において、
前記相対移動手段は、前記洗浄液保持手段を固定配置して前記インクジェットヘッドを移動させ、
前記洗浄液供給手段は、洗浄液供給口の前記インクジェットヘッドの移動方向下流側の外縁が、前記洗浄液保持面の前記インクジェットヘッドの移動方向における中央よりも上流側に配置される構造を有することを特徴とする画像形成装置。
【請求項９】
請求項８に記載の画像形成装置において、
円筒形状の外周面に記録媒体を固定する記録媒体固定領域を具備する記録媒体固定部材を有し、前記記録媒体固定部材を円筒形状の回転軸の回りに回転させて記録媒体を所定の方向に搬送する記録媒体搬送手段と、
前記記録媒体固定部材の外周面に沿って前記外周面に対向する位置に水平面に対して傾けられて配置される複数の液体のそれぞれに対応する複数のインクジェットヘッドと、
を備え、
前記洗浄液保持手段は、前記複数のインクジェットヘッドのそれぞれに対応して傾斜の異なる複数の洗浄液保持面を有することを特徴とする画像形成装置。
【請求項１０】
水平面に対して液体吐出面が傾けられたインクジェットヘッドの前記液体吐出面に対応して水平面に対して傾けられ、前記液体吐出面と対向させた状態において、前記液体吐出面との間に所定の間隔を有するように配置された洗浄液保持面と、前記インクジェットヘッドとを、前記所定の間隔を保ちつつ前記洗浄液保持面と平行な面内において相対的に移動させる相対移動工程と、
前記洗浄液保持面を基準とした前記インクジェットヘッドの移動方向下流側の外縁が、前記洗浄液保持面の前記移動方向における中央よりも上流側に位置するように配置された洗浄液供給口から洗浄液が供給され、前記洗浄液保持面に供給された洗浄液が、前記洗浄液保持面と前記液体吐出面との間にメニスカスを形成しつつ、前記液体吐出面に接触しながら前記洗浄液保持面の傾斜の上部から下部へ前記洗浄液保持面の傾斜を滑り落ちる洗浄液供給工程と、
を含むことを特徴とするヘッド洗浄方法。
【請求項１１】
請求項１０に記載のヘッド洗浄方法において、
前記相対移動工程は、前記洗浄液保持面を固定配置して前記インクジェットヘッドを移動させ、
前記洗浄液供給工程は、前記インクジェットヘッドの移動方向下流側の外縁が、前記洗浄液保持面の前記インクジェットヘッドの移動方向における中央よりも上流側に配置される前記洗浄液供給口から洗浄液が供給されることを特徴とするヘッド洗浄方法。
【発明の詳細な説明】
【技術分野】
【０００１】
本発明はヘッド洗浄装置及び画像形成装置並びにヘッド洗浄方法に係り、特にインクジェットヘッドの液体吐出面の洗浄技術に関する。
【背景技術】
【０００２】
汎用の画像形成装置として、インクジェットヘッドから液体を吐出して所定の媒体上に画像を形成するインクジェット記録装置が知られている。インクジェットヘッドを長期間稼動させると、インクジェットヘッドのインク吐出面（ノズル面）に固化したインクや媒体の紙粉などが付着する。特に、インク吐出するノズル開口やその近傍に付着物が付着すると、インクの飛翔曲がりや吐出量の減少といった吐出異常が発生してしまい、画像の品質を低下させてしまう。このようなインクの吐出異常を回避するために、インクジェットヘッドのインク吐出面は定期的にメンテナンスが実行される。
【０００３】
特許文献１は、ページ幅を有する印刷ヘッドのヘッド面に付着する異物を効果的に除去する印刷システムを開示している。かかる印刷システムは、インク噴出用オリフィスが開口する印刷ヘッド面に洗浄カップを当接させて、洗浄カップの内部における洗浄液の流れを第１の方向から第１の方向と反対の第２の方向へ切り換えることで洗浄液を加速して洗浄液の流れに剪断力を発生させ、この剪断力をヘッド面に作用させることで印刷ヘッド面の洗浄を行うように構成されている。
【先行技術文献】
【特許文献】
【０００４】
【特許文献１】特開２００１‐１３００１５号公報
【発明の概要】
【発明が解決しようとする課題】
【０００５】
媒体を搬送する手段として、円筒形状の搬送ドラムの外周面に媒体を固定し、該搬送ドラムを回転させることで媒体を搬送ドラムの円周方向に移動させるドラム搬送方式が知られている。かかるドラム搬送方式では、ヘッドのノズル面と媒体（搬送ドラムの外周面）が平行になるように、水平面に対してヘッドが傾けられて配置される。傾斜したノズル面に洗浄液を付与すると傾斜の上側から下側へ洗浄液が流れてしまい、ノズル面の全面に均一に洗浄液を付与することが困難となる。
【０００６】
一方、特許文献１に係る印刷ヘッドの洗浄構造を、ドラム搬送方式に対応して水平面に対して斜めに配置されたインクジェットヘッドの洗浄に適用すると、洗浄液の流れが斜め上向きになることがある。洗浄液の斜め上向きの流れと斜め下向きの流れが生じる場合には、所望の効果を得ることが困難になると考えられる。
【０００７】
本発明はこのような事情に鑑みてなされたもので、水平面に対して斜めに傾けられて配置されるヘッドのノズル面の全面にわたって均一に洗浄液を供給することを可能とするヘッド洗浄装置及び画像形成装置並びにヘッド洗浄方法を提供することを目的とする。
【課題を解決するための手段】
【０００８】
上記目的を達成するために、本発明に係るヘッド洗浄装置は、水平面に対して液体吐出面が傾けられたインクジェットヘッドの前記液体吐出面に対応して水平面に対して傾けられた洗浄液保持面を具備し、前記洗浄液保持面と前記液体吐出面とを対向させた状態において、前記洗浄液保持面が前記液体吐出面との間に所定の間隔を有するように配置される構造を有する洗浄液保持手段と、前記インクジェットヘッドの液体吐出面と前記洗浄液保持面とを対向させ、前記液体吐出面と前記洗浄液保持面との前記所定の間隔を一定に保ちつつ、前記洗浄液保持面と平行な面内において、前記インクジェットヘッドと前記洗浄液保持手段とを相対的に移動させる相対移動手段と、前記洗浄液保持面と前記液体吐出面とを対向させた状態において、前記洗浄液保持面の傾斜の上部から前記洗浄液保持面に対して洗浄液を供給する洗浄液供給口を具備する洗浄液供給手段と、を備え、前記洗浄液供給手段は、前記洗浄液供給口の前記洗浄液保持手段を基準とした前記インクジェットヘッドの移動方向下流側の外縁が、前記洗浄液保持面の前記移動方向における中央よりも上流側に配置される構造を有し、前記洗浄液保持面と前記液体吐出面との間にメニスカスを形成しつつ、前記洗浄液保持面に供給された洗浄液が前記液体吐出面に接触しながら前記洗浄液保持面の傾斜を滑り落ちるように構成されることを特徴とする。
【発明の効果】
【０００９】
本発明によれば、インクジェットヘッドと洗浄液保持手段との相対移動によって、洗浄液供給口から洗浄液保持面へ供給された洗浄液が該相対移動方向へ引かれて洗浄液保持面の該相対移動方向の端部から流出してしまうことがなく、洗浄液保持面の傾斜上部から下部にわたって前記洗浄液保持面と前記液体吐出面との間にメニスカスが形成され、好ましい液体吐出面への洗浄液の付与が実現される。
【図面の簡単な説明】
【００１０】
【図１】本発明に係るヘッド洗浄装置を備えたインクジェット記録装置の概略構成を示す全体構成図
【図２】図１に示すインクジェット記録装置に適用されるフルライン型ヘッドの構造例を示す平面透視図
【図３】図２に示すインクジェットヘッドのノズル配置を説明する平面透視図
【図４】図２に示すインクジェットヘッドの立体構造を示す断面図
【図５】図１に示すインクジェット記録装置のシステム構成を示す要部ブロック図
【図６】図１に示すインクジェット記録装置に適用されるメンテナンス処理部の全体構成図
【図７】図６に示すヘッド洗浄部の構造を模式的に図示した説明図
【図８】図６に示す洗浄液ノズルの配置を説明する図
【図９】図６に示す洗浄液ノズルの配置例を示す模式図
【図１０】本発明の第１応用例に係るヘッド洗浄装置の概略構成を模式的に示す図
【図１１】本発明の第２応用例に係るヘッド洗浄装置の概略構成を模式的に示す図
【発明を実施するための形態】
【００１１】
以下、添付図面に従って本発明の好ましい実施の形態について詳説する。
【００１２】
〔インクジェット記録装置の全体構成〕
図１は、本発明の実施形態に係るヘッド洗浄装置を具備するインクジェット記録装置（画像形成装置）の全体構成を示した構成図である。同図に示すインクジェット記録装置１０は、色材を含有するインクと該インクを凝集させる機能を有する凝集処理液を用いて、所定の画像データに基づいて記録媒体１４の記録面に画像を形成する二液凝集方式の記録装置である。
【００１３】
インクジェット記録装置１０は、主として、給紙部２０、処理液塗布部３０、描画部４０、乾燥処理部５０、定着処理部６０、及び排出部７０を備えて構成される。また、図１では図示を省略されているが、描画部４０へインク供給を行うインク供給装置が設けられている。
【００１４】
処理液塗布部３０、描画部４０、乾燥処理部５０、定着処理部６０の前段に搬送される記録媒体１４の受け渡しを行う手段として渡し胴３２，４２，５２，６２が設けられるとともに、処理液塗布部３０、描画部４０、乾燥処理部５０、定着処理部６０のそれぞれに記録媒体１４を保持しながら搬送する手段として、ドラム形状を有する圧胴３４，４４，５４，６４が設けられている。
【００１５】
渡し胴３２〜６２及び圧胴３４〜６４は、外周面の所定位置に記録媒体１４の先端部を挟んで保持するグリッパー８０Ａ，８０Ｂが設けられている。グリッパー８０Ａとグリッパー８０Ｂにおける記録媒体１４の先端部を挟んで保持する構造、及び他の圧胴又は渡し胴に備えられるグリッパーとの間で記録媒体１４の受け渡しを行う構造を同一であり、かつ、グリッパー８０Ａとグリッパー８０Ｂは、圧胴３４の外周面の圧胴３４の回転方向について１８０°移動させた対称位置に配置されている。
【００１６】
グリッパー８０Ａ，８０Ｂにより記録媒体１４の先端部を狭持した状態で渡し胴３２〜６２及び圧胴３４〜６４を所定の方向に回転させると、渡し胴３２〜６２及び圧胴３４〜６４の外周面に沿って記録媒体１４が回転搬送される。
【００１７】
なお、図１中、圧胴３４に備えられるグリッパー８０Ａ，８０Ｂのみ符号を付し、他の圧胴及び渡し胴のグリッパーの符号は省略する。
【００１８】
給紙部２０に収容されている記録媒体（枚葉紙）１４が処理液塗布部３０に給紙されると、圧胴３４の外周面に保持された記録媒体１４の記録面に、凝集処理液（以下、単に「処理液」と記載することがある。）が付与される。なお、「記録媒体１４の記録面」とは、圧胴３４〜６４の保持された状態における外側面であり、圧胴３４〜６４に保持される面と反対面である。
【００１９】
その後、凝集処理液が付与された記録媒体１４は描画部４０に送り出され、描画部４０において記録面の凝集処理液が付与された領域に色インクが付与され、所望の画像が形成される。
【００２０】
さらに、該色インクによる画像が形成された記録媒体１４は乾燥処理部５０に送られ、乾燥処理部５０において乾燥処理が施されるとともに、乾燥処理後に定着処理部６０に送られ、定着処理が施される。乾燥処理及び定着処理が施されることで、記録媒体１４上に形成された画像が堅牢化される。このようにして、記録媒体１４の記録面に所望の画像が形成され、該画像が記録媒体１４の記録面に定着した後に、排出部７０から装置外部に搬送される。
【００２１】
以下、インクジェット記録装置１０の各部（給紙部２０、処理液塗布部３０、描画部４０、乾燥処理部５０、定着処理部６０、排出部７０）について詳細に説明する。
【００２２】
（給紙部）
給紙部２０は、給紙トレイ２２と不図示の送り出し機構が設けられ、記録媒体１４は給紙トレイ２２から一枚ずつ送り出されるように構成されている。給紙トレイ２２から送り出された記録媒体１４は、渡し胴（給紙胴）３２のグリッパー（不図示）の位置に先端部が位置するように不図示のガイド部材によって位置決めされて一旦停止する。
【００２３】
（処理液塗布部）
処理液塗布部３０は、給紙胴３２から受け渡された記録媒体１４を外周面に保持して記録媒体１４を所定の搬送方向へ搬送する処理液胴（処理液ドラム）３４と、処理液胴３４の外周面に保持された記録媒体１４の記録面に処理液を付与する処理液塗布部３０と、含んで構成されている。処理液胴３４を図１における反時計回りに回転させると、記録媒体１４は処理液胴３４の外周面に沿って反時計回り方向に回転搬送される。
【００２４】
図１に示す処理液塗布部３０は、処理液胴３４の外周面（記録媒体保持面）と対向する位置に設けられている。処理液塗布部３０の構成例として、処理液が貯留される処理液容器と、処理液容器の処理液に一部が浸漬され、処理液容器内の処理液を汲み上げる汲み上げローラと、汲み上げローラにより汲み上げられた処理液を記録媒体１４上に移動させる塗布ローラ（ゴムローラ）と、を含んで構成される態様が挙げられる。
【００２５】
なお、該塗布ローラを上下方向（処理液胴３４の外周面の法線方向）に移動させる塗布ローラ移動機構を備え、該塗布ローラとグリッパー８０Ａ，８０Ｂとの衝突を回避可能に構成する態様が好ましい。
【００２６】
処理液塗布部３０により記録媒体１４に付与される処理液は、描画部４０で付与されるインク中の色材（顔料）を凝集させる色材凝集剤を含有し、記録媒体１４上で処理液とインクとが接触すると、インク中の色材と溶媒との分離が促進される。
【００２７】
処理液塗布部３０は、記録媒体１４に塗布される処理液量を計量しながら塗布することが好ましく、記録媒体１４上の処理液の膜厚は、描画部４０から打滴されるインク液滴の直径より十分に小さくすることが好ましい。
【００２８】
（描画部）
描画部４０は、記録媒体１４を保持して搬送する描画胴（描画ドラム）４４と、記録媒体１４を描画胴４４に密着させるための用紙押さえローラ４６と、記録媒体１４にインクを付与するインクジェットヘッド４８Ｍ，４８Ｋ，４８Ｃ，４８Ｙを備えている。描画胴４４は、記録媒体１４の先端部を挟持するグリッパー８０Ａ，８０Ｂが、周面から突出しないように配置されている。また、描画胴４４は記録媒体１４を外周面に固定保持するための機能を有している。記録媒体１４の固定保持機能の具体例として、真空吸着、静電吸着などが挙げられる。
【００２９】
用紙押さえローラ４６は、描画胴４４の外周面に記録媒体１４を密着させるためのガイド部材であり、描画胴４４の外周面に対向し、渡し胴４２と描画胴４４との記録媒体１４の受渡位置よりも記録媒体１４の搬送方向下流側であり、且つ、インクジェットヘッド４８Ｍ，４８Ｋ，４８Ｃ，４８Ｙよりも記録媒体１４の搬送方向上流側に配置される。
【００３０】
また、用紙押さえローラ４６と記録媒体１４の搬送方向における最上流側のインクジェットヘッド４８Ｙとの間には、用紙浮き検出センサ（不図示）が配置されている。該用紙浮き検出センサは、記録媒体１４がインクジェットヘッド４８Ｍ，４８Ｋ，４８Ｃ，４８Ｙの直下に進入する直前の浮き量を検出している。本例に示すインクジェット記録装置１０は、用紙浮き検出センサにより検出された記録媒体１４の浮き量が所定のしきい値を超える場合には、その旨を報知するとともに記録媒体１４の搬送を中断させるように構成されている。
【００３１】
渡し胴４２から描画胴４４に受け渡された記録媒体１４は、グリッパー（符号省略）によって先端が保持された状態で回転搬送される際に、用紙押さえローラ４６によって押圧され、描画胴４４の外周面に密着する。このようにして、記録媒体１４を描画胴４４の外周面に密着させた後に、描画胴４４の外周面から浮き上がりのない状態で、インクジェットヘッド４８Ｍ，４８Ｋ，４８Ｃ，４８Ｙの直下の印字領域に送られる。
【００３２】
インクジェットヘッド４８Ｍ，４８Ｋ，４８Ｃ，４８Ｙはそれぞれ、マゼンダ（Ｍ）、黒（Ｋ）、シアン（Ｃ）、イエロー（Ｙ）の４色のインクに対応しており、描画胴４４の回転方向（図１における反時計回り方向）に上流側から順に配置されるとともに、インクジェットヘッド４８Ｍ，４８Ｋ，４８Ｃ，４８Ｙのインク吐出面（ノズル面）が描画胴４４に保持された記録媒体１４の記録面と対向するように配置される。なお、「インク吐出面（ノズル面）」とは、記録媒体１４の記録面と対向するインクジェットヘッド４８Ｍ，４８Ｋ，４８Ｃ，４８Ｙの面であり、後述するインクが吐出されるノズル（図３に符号１０８を付して図示する。）が形成される面である。
【００３３】
また、図１に示すインクジェットヘッド４８Ｍ，４８Ｋ，４８Ｃ，４８Ｙは、描画胴４４の外周面に保持された記録媒体１４の記録面とインクジェットヘッド４８Ｍ，４８Ｋ，４８Ｃ，４８Ｙのノズル面が略平行となるように、水平面に対して傾けられて配置されている。
【００３４】
インクジェットヘッド４８Ｍ，４８Ｋ，４８Ｃ，４８Ｙは、記録媒体１４における画像形成領域の最大幅（記録媒体１４の搬送方向と直交する方向の長さ）に対応する長さを有するフルライン型のヘッドであり、記録媒体１４の搬送方向と直交する方向に延在するように固定設置される。また、インクジェットヘッド４８Ｍ，４８Ｋ，４８Ｃ，４８Ｙのそれぞれは、詳細を後述するインク供給装置からインクが供給される。
【００３５】
インクジェットヘッド４８Ｍ，４８Ｋ，４８Ｃ，４８Ｙのノズル面（液体吐出面）には、記録媒体１４の画像形成領域の全幅にわたってインク吐出用のノズルがマトリクス配置されて形成されている。
【００３６】
記録媒体１４がインクジェットヘッド４８Ｍ，４８Ｋ，４８Ｃ，４８Ｙの直下の印字領域に搬送されると、インクジェットヘッド４８Ｍ，４８Ｋ，４８Ｃ，４８Ｙから記録媒体１４の凝集処理液が付与された領域に画像データに基づいて各色のインクが吐出（打滴）される。
【００３７】
インクジェットヘッド４８Ｍ，４８Ｋ，４８Ｃ，４８Ｙから、対応する色インクの液滴が、描画胴４４の外周面に保持された記録媒体１４の記録面に向かって吐出されると、記録媒体１４上で処理液とインクが接触し、インク中に分散する色材（顔料系色材）又は不溶化する色材（染料系色材）の凝集反応が発現し、色材凝集体が形成される。これにより、記録媒体１４上に形成された画像における色材の移動（ドットの位置ずれ、ドットの色ムラ）が防止される。
【００３８】
また、描画部４０の描画胴４４は、処理液塗布部３０の処理液胴３４に対して構造上分離しているので、インクジェットヘッド４８Ｍ，４８Ｋ，４８Ｃ，４８Ｙに処理液が付着することがなく、インクの吐出異常の要因を低減することができる。
【００３９】
なお、本例では、ＭＫＣＹの標準色（４色）の構成を例示したが、インク色や色数の組み合わせについては本実施形態に限定されず、必要に応じて淡インク、濃インク、特別色インクを追加してもよい。例えば、ライトシアン、ライトマゼンタなどのライト系インクを吐出するインクジェットヘッドを追加する構成も可能であり、各色ヘッドの配置順序も特に限定はない。
【００４０】
（乾燥処理部）
乾燥処理部５０は、画像形成後の記録媒体１４を保持して搬送する乾燥胴（乾燥ドラム）５４と、該記録媒体１４上の水分（液体成分）を蒸発させる乾燥処理を施す乾燥処理装置５６を備えている。なお、乾燥胴５４の基本構造は、先に説明した処理液胴３４及び描画胴４４と共通しているので、ここでの説明は省略する。
【００４１】
乾燥処理装置５６は、乾燥胴５４の外周面に対向する位置に配置され、記録媒体１４に存在する水分を蒸発させる処理部である。描画部４０により記録媒体１４にインクが付与されると、処理液とインクとの凝集反応により分離したインクの液体成分（溶媒成分）及び処理液の液体成分（溶媒成分）が記録媒体１４上に残留してしまうので、かかる液体成分を除去する必要がある。
【００４２】
乾燥処理装置５６は、ヒータによる加熱、ファンによる送風、又はこれらを併用して記録媒体１４上に存在する液体成分を蒸発させる乾燥処理を施し、記録媒体１４上の液体成分を除去するための処理部である。記録媒体１４に付与される加熱量及び送風量は、記録媒体１４上に残留する水分量、記録媒体１４の種類、及び記録媒体１４の搬送速度（乾燥処理時間）等のパラメータに応じて適宜設定される。
【００４３】
乾燥処理装置５６による乾燥処理が行われる際に、乾燥処理部５０の乾燥胴５４は、描画部４０の描画胴４４に対して構造上分離しているので、インクジェットヘッド４８Ｍ，４８Ｋ，４８Ｃ，４８Ｙにおいて、熱又は送風によるヘッドメニスカス部の乾燥によるインクの吐出異常の要因を低減することができる。
【００４４】
記録媒体１４のコックリングの矯正効果を発揮させるために、乾燥胴５４の曲率を０．００２（１／ｍｍ）以上とするとよい。また、乾燥処理後の記録媒体の湾曲（カール）を防止するために、乾燥胴５４の曲率を０．００３３（１／ｍｍ）以下とするとよい。
【００４５】
また、乾燥胴５４の表面温度を調整する手段（例えば、内蔵ヒータ）を備え、該表面温度を５０℃以上に調整するとよい。記録媒体１４の裏面から加熱処理を施すことによって乾燥が促進され、次段の定着処理時における画像破壊が防止される。かかる態様において、乾燥胴５４の外周面に記録媒体１４を密着させる手段を具備するとさらに効果的である。記録媒体１４を密着させる手段の一例として、真空吸着、静電吸着などが挙げられる。
【００４６】
なお、乾燥胴５４の表面温度の上限については、特に限定されるものではないが、乾燥胴５４の表面に付着したインクをクリーニングするなどのメンテナンス作業の安全性（高温による火傷防止）の観点から７５℃以下（より好ましくは６０℃以下）に設定されることが好ましい。
【００４７】
このように構成された乾燥胴５４の外周面に、記録媒体１４の記録面が外側を向くように（すなわち、記録媒体１４の記録面が凸側となるように湾曲させた状態で）保持し、回転搬送しながら乾燥処理を施すことで、記録媒体１４のシワや浮きに起因する乾燥ムラが確実に防止される。
【００４８】
（定着処理部）
定着処理部６０は、記録媒体１４を保持して搬送する定着胴（定着ドラム）６４と、画像形成がされ、さらに、液体が除去された記録媒体１４に加熱処理を施すヒータ６６と、該記録媒体１４を記録面側から押圧する定着ローラ６８と、を備えて構成される。なお、定着胴６４基本構造は処理液胴３４、描画胴４４、及び乾燥胴５４と共通しているので、ここでの説明は省略する。ヒータ６６及び定着ローラ６８は、定着胴６４の外周面に対向する位置に配置され、定着胴６４の回転方向（図１において反時計回り方向）の上流側から順に配置される。
【００４９】
定着処理部６０では、記録媒体１４の記録面に対してヒータ６６による予備加熱処理が施されるとともに、定着ローラ６８による定着処理が施される。ヒータ６６の加熱温度は記録媒体の種類、インクの種類（インクに含有するポリマー微粒子の種類）などに応じて適宜設定される。例えば、インクに含有するポリマー微粒子のガラス転移点温度や最低造膜温度とする態様が考えられる。
【００５０】
定着ローラ６８は、乾燥させたインクを加熱加圧することによってインク中の自己分散性ポリマー微粒子を溶着し、インクを被膜化させるためのローラ部材であり、記録媒体１４を加熱加圧するように構成される。具体的には、定着ローラ６８は、定着胴６４に対して圧接するように配置されており、定着胴６４との間でニップローラを構成するようになっている。これにより、記録媒体１４は、定着ローラ６８と定着胴６４との間に挟まれ、所定のニップ圧でニップされ、定着処理が行われる。
【００５１】
定着ローラ６８の構成例として、熱伝導性の良いアルミなどの金属パイプ内にハロゲンランプを組み込んだ加熱ローラによって構成する態様が挙げられる。かかる加熱ローラで記録媒体１４を加熱することによって、インクに含まれるポリマー微粒子のガラス転移点温度以上の熱エネルギーが付与されると、該ポリマー微粒子が溶融して画像の表面に透明の被膜が形成される。
【００５２】
この状態で記録媒体１４の記録面に加圧を施すと、記録媒体１４の凹凸に溶融したポリマー微粒子が押し込み定着されるとともに、画像表面の凹凸がレベリングされ、好ましい光沢性を得ることができる。なお、画像層の厚みやポリマー微粒子のガラス転移点温度特性に応じて、定着ローラ６８を複数段設けた構成も好ましい。
【００５３】
また、定着ローラ６８の表面硬度は７１°以下であることが好ましい。定着ローラ６８の表面をより軟質化することで、コックリングにより生じた記録媒体１４の凹凸に対して追随効果を期待でき、記録媒体１４の凹凸に起因する定着ムラがより効果的に防止される。
【００５４】
図１に示すインクジェット記録装置１０は、定着処理部６０の処理領域の後段（記録媒体搬送方向の下流側）には、インラインセンサ８２が設けられている。インラインセンサ８２は、記録媒体１４に形成された画像（又は記録媒体１４の余白領域に形成されたチェックパターン）を読み取るためのセンサであり、ＣＣＤラインセンサが好適に用いられる。
【００５５】
本例に示すインクジェット記録装置１０は、インラインセンサ８２の読取結果に基づいてインクジェットヘッド４８Ｍ，４８Ｋ，４８Ｃ，４８Ｙの吐出異常の有無が判断される。また、インラインセンサ８２は、水分量、表面温度、光沢度などを計測するための計測手段を含む態様も可能である。かかる態様において、水分量、表面温度、光沢度の読取結果に基づいて、乾燥処理部５０の処理温度や定着処理部６０の加熱温度及び加圧圧力などのパラメータを適宜調整し、装置内部の温度変化や各部の温度変化に対応して、上記制御パラメータが適宜調整される。
【００５６】
（排出部）
図１に示すように、定着処理部６０に続いて排出部７０が設けられている。排出部７０は、張架ローラ７２Ａ，７２Ｂに巻きかけられた無端状の搬送チェーン７４と、画像形成後の記録媒体１４が収容される排出トレイ７６と、を備えて構成されている。
【００５７】
定着処理部６０から送り出された定着処理後の記録媒体１４は、搬送チェーン７４によって搬送され、排出トレイ７６に排出される。
【００５８】
（メンテナンス処理部）
図１には図示を省略したが、同図に示すインクジェット記録装置１０は、インクジェットヘッド４８Ｍ，４８Ｋ，４８Ｃ，４８Ｙのノズル面（図１中不図示、図４に符号１１４Ａを付して図示）を洗浄するためのヘッド洗浄部（図６に符号２００を付して図示）を含むメンテナンス処理部（図５に符号１８８を付して図示）を具備している。メンテナンス処理部は、描画部４０（描画胴４４）の記録媒体１４の搬送方向と直交する方向に隣接して、描画胴４４の真横に配設される（図６参照）。メンテナンス処理が実行されるときは、インクジェットヘッド４８Ｍ，４８Ｋ，４８Ｃ，４８Ｙを描画胴４４の真上からメンテナンス処理部の処理領域へ移動させる。なお、メンテナンス処理部の詳細は後述する。
【００５９】
〔インクジェットヘッドの構造〕
次に、描画部４０に具備されるインクジェットヘッド４８Ｍ，４８Ｋ，４８Ｃ，４８Ｙの構造の一例について説明する。なお、各色に対応するインクジェットヘッド４８Ｍ，４８Ｋ，４８Ｃ，４８Ｙの構造は共通しているので、以下、これらを代表して符号１００によってインクジェットヘッド（以下、単に「ヘッド」ともいう。）を示すものとする。
【００６０】
図２は、インクジェットヘッド１００の概略構成図であり、同図はインクジェットヘッド１００から記録媒体の記録面を見た図（ヘッドの平面透視図）となっている。同図に示すヘッド１００は、ｎ個のヘッドモジュール１０２‐ｉ（ｉは１からｎの整数）をヘッド１００の長手方向に沿って一列につなぎ合わせてマルチヘッドを構成している。また、各ヘッドモジュール１０２‐ｉは、ヘッド１００の短手方向の両側からヘッドカバー１０４，１０６によって支持されている。なお、ヘッドモジュール１０２を千鳥状に配置してマルチヘッドを構成することも可能である。
【００６１】
複数のサブヘッドにより構成されるマルチヘッドの適用例として、記録媒体の全幅に対応したフルライン型ヘッドが挙げられる。フルライン型ヘッドは、記録媒体の移動方向（副走査方向）と直交する方向（主走査方向）について、記録媒体の主走査方向における長さ（幅）に対応して、複数のノズル（図３に符号１０８を付して図示する。）が並べられた構造を有している。かかる構造を有するヘッド１００と記録媒体とを相対的に１回だけ走査させて画像記録を行う、いわゆるシングルパス画像記録方式により、記録媒体の全面にわたって画像を形成し得る。
【００６２】
ヘッド１００を構成するヘッドモジュール１０２‐ｉは、略平行四辺形の平面形状を有し、隣接するサブヘッド間にオーバーラップ部が設けられている。オーバーラップ部とは、サブヘッドのつなぎ部分であり、ヘッドモジュール１０２‐ｉの並び方向について、隣接するドットが異なるサブヘッドに属するノズルによって形成される。
【００６３】
図３は、ヘッドモジュール１０２‐ｉのノズル配列を示す平面透視図である。同図に示すように、各ヘッドモジュール１０２‐ｉは、ノズル１０８が二次元状に並べられた構造を有し、かかるヘッドモジュール１０２‐ｉを備えたヘッドは、いわゆるマトリクスヘッドと呼ばれるものである。図３に図示したヘッドモジュール１０２‐ｉは、副走査方向Ｙに対して角度αをなす列方向Ｗ、及び主走査方向Ｘに対して角度βをなす行方向Ｖに沿って多数のノズル１０８が並べられた構造を有し、主走査方向Ｘの実質的なノズル配置密度が高密度化されている。図３では、行方向Ｖに沿って並べられたノズル群（ノズル行）は符号１１０を付し、列方向Ｗに沿って並べられたノズル群（ノズル列）は符号１１２を付して図示されている。
【００６４】
なお、ノズル１０８のマトリクス配置の他の例として、主走査方向Ｘに沿う行方向、及び主走査方向Ｘに対して斜め方向の列方向に沿って複数のノズル１０８を配置する構成が挙げられる。
【００６５】
図４は、記録素子単位となる１チャンネル分の液滴吐出素子（１つのノズル１０８に対応したインク室ユニット）の立体的構成を示す断面図である。同図に示すように、本例のヘッド１００は、ノズル１０８が形成されたノズルプレート１１４と、圧力室１１６や共通流路１１８等の流路が形成された流路板１２０等を積層接合した構造から成る。ノズルプレート１１４は、ヘッド１００のノズル面１１４Ａを構成し、各圧力室１１６にそれぞれ連通する複数のノズル１０８が二次元的に形成されている。
【００６６】
流路板１２０は、圧力室１１６の側壁部を構成するとともに、共通流路１１８から圧力室１１６にインクを導く個別供給路の絞り部（最狭窄部）としての供給口１２２を形成する流路形成部材である。なお、説明の便宜上、図４では簡略的に図示しているが、流路板１２０は一枚又は複数の基板を積層した構造である。
【００６７】
ノズルプレート１１４及び流路板１２０は、シリコンを材料として半導体製造プロセスによって所要の形状に加工することが可能である。
【００６８】
共通流路１１８はインク供給源たるインクタンク（不図示）と連通しており、インクタンクから供給されるインクは共通流路１１８を介して各圧力室１１６に供給される。
【００６９】
圧力室１１６の一部の面（図４おける天面）を構成する振動板１２４には、個別電極１２６及び下部電極１２８を備え、個別電極１２６と下部電極１２８との間に圧電体１３０が挟まれた構造を有するピエゾアクチュエータ１３２が接合されている。振動板１２４を金属薄膜や金属酸化膜により構成すると、ピエゾアクチュエータ１３２の下部電極１２８に相当する共通電極として機能する。なお、樹脂などの非導電性材料によって振動板を形成する態様では、振動板部材の表面に金属などの導電材料による下部電極層が形成される。
【００７０】
個別電極１２６に駆動電圧を印加することによってピエゾアクチュエータ１３２が変形して圧力室１１６の容積が変化し、これに伴う圧力変化によりノズル１０８からインクが吐出される。インク吐出後、ピエゾアクチュエータ１３２が元の状態に戻る際、共通流路１１８から供給口１２２を通って新しいインクが圧力室１１６に再充填される。
【００７１】
かかる構造を有するインク室ユニットを図３に示す如く、主走査方向Ｘと角度βをなす行方向Ｖ及び副走査方向Ｙに対して角度αをなす列方向Ｗに沿って一定の配列パターンで格子状に多数配列させることにより、本例の高密度ノズルヘッドが実現されている。かかるマトリクス配列において、副走査方向Ｙの隣接ノズル間隔をＬｓとするとき、主走査方向Ｘについては実質的に各ノズル１０８が一定のピッチＰ＝Ｌｓ／tanθで直線状に配列されたものと等価的に取り扱うことができる。
【００７２】
本例では、ヘッド１００に設けられたノズル１０８から吐出させるインクの吐出力発生手段としてピエゾアクチュエータ１３２を適用したが、圧力室１１６内にヒータを備え、ヒータの加熱による膜沸騰の圧力を利用してインクを吐出させるサーマル方式を適用することも可能である。
【００７３】
〔制御系の説明〕
図５は、インクジェット記録装置１０の制御系の概略構成を示すブロック図である。インクジェット記録装置１０は、通信インターフェース１４０、システム制御部１４２、搬送制御部１４４、画像処理部１４６、ヘッド駆動部１４８を備えるとともに、画像メモリ１５０、ＲＯＭ１５２を備えている。
【００７４】
通信インターフェース１４０は、ホストコンピュータ１５４から送られてくる画像データを受信するインターフェース部である。通信インターフェース１４０は、ＵＳＢ（Universal Serial Bus）などのシリアルインターフェースを適用してもよいし、セントロニクスなどのパラレルインターフェースを適用してもよい。通信インターフェース１４０は、通信を高速化するためのバッファメモリ（不図示）を搭載してもよい。
【００７５】
システム制御部１４２は、中央演算処理装置（ＣＰＵ）及びその周辺回路等から構成され、所定のプログラムに従ってインクジェット記録装置１０の全体を制御する制御装置として機能するとともに、各種演算を行う演算装置として機能し、さらに、画像メモリ１５０及びＲＯＭ１５２のメモリコントローラとして機能する。すなわち、システム制御部１４２は、通信インターフェース１４０、搬送制御部１４４等の各部を制御し、ホストコンピュータ１５４との間の通信制御、画像メモリ１５０及びＲＯＭ１５２の読み書き制御等を行うとともに、上記の各部を制御する制御信号を生成する。
【００７６】
ホストコンピュータ１５４から送り出された画像データは通信インターフェース１４０を介してインクジェット記録装置１０に取り込まれ、画像処理部１４６によって所定の画像処理が施される。
【００７７】
画像処理部１４６は、画像データから印字制御用の信号を生成するための各種加工、補正などの処理を行う信号（画像）処理機能を有し、生成した印字データをヘッド駆動部１４８に供給する制御部である。画像処理部１４６において所要の信号処理が施され、該画像データに基づいて、ヘッド駆動部１４８を介してヘッド１００の吐出液滴量（打滴量）や、吐出タイミングの制御が行われる。これにより、所望のドットサイズやドット配置が実現される。なお、図５に示すヘッド駆動部１４８には、ヘッド１００の駆動条件を一定に保つためのフィードバック制御系を含んでいてもよい。
【００７８】
ヘッド駆動部１４８は、駆動波形を生成する駆動波形生成部と、該駆動波形を増幅して駆動電圧を生成する増幅部と、所定の駆動波形を有する駆動電圧をヘッドへ供給する駆動電圧供給部と、を含んで構成されている。システム制御部から送られる画像データ（デジタルデータ）に基づいて駆動波形が生成され（又は、予め記憶されている駆動波形の中から対応する駆動波形が選択され）、当該駆動波形を有する駆動電圧が生成される。
【００７９】
搬送制御部１４４は、画像処理部１４６により生成された印字制御用の信号に基づいて記録媒体１４（図１参照）の搬送タイミング及び搬送速度を制御する。図５における搬送駆動部１５６は、図１の圧胴３４〜６４を回転させるモータや、渡し胴３２〜６２を回転させるモータ、給紙部２０における記録媒体１４の送出機構のモータ、排出部７０の張架ローラ７２Ａ（７２Ｂ）を駆動するモータなどが含まれ、搬送制御部１４４は上記のモータのドライバーとして機能している。また、図示は省略するが、記録媒体１４の搬送制御に対応して、描画胴４４（図１参照）における記録媒体１４の固定保持を制御する固定保持制御手段が設けられている。例えば、記録媒体１４を真空吸着により固定する態様では、真空ポンプの動作を制御するポンプ制御部と、真空流路の開閉を切り換えるバルブの動作を制御するバルブ制御部と、を含んで構成される。
【００８０】
画像メモリ（一次記憶メモリ）１５０は、通信インターフェース１４０を介して入力された画像データを一旦格納する一次記憶手段としての機能や、ＲＯＭ１５２に記憶されている各種プログラムの展開領域及びＣＰＵの演算作業領域（例えば、画像処理部１４６の作業領域）としての機能を有している。画像メモリ１５０には、逐次読み書きが可能な揮発性メモリ（ＲＡＭ）が用いられる。
【００８１】
ＲＯＭ１５２は、システム制御部１４２のＣＰＵが実行するプログラムや、装置各部の制御に必要な各種データ、制御パラメータなどが格納されており、システム制御部１４２を通じてデータの読み書きが行われる。ＲＯＭ１５２は、半導体素子からなるメモリに限らず、ハードディスクなど磁気媒体を用いてもよい。また、外部インターフェースを備え、着脱可能な記憶媒体を用いてもよい。
【００８２】
さらに、このインクジェット記録装置１０は、処理液付与制御部１６０、乾燥処理制御部１６２、及び定着処理制御部１６４を備えており、システム制御部１４２からの指示に従って、それぞれ、処理液塗布部３０、乾燥処理部５０、及び定着処理部６０の各部の動作を制御する。
【００８３】
処理液付与制御部１６０は、画像処理部１４６から得られた印字データに基づいて、処理液塗布部３０による処理液付与のタイミングの制御を制御するとともに、処理液の付与量を制御する。また、乾燥処理制御部１６２は、乾燥処理部５０に含まれる乾燥処理装置５６（図１参照）における乾燥処理のタイミングを制御するとともに、処理温度、送風量等を制御し、定着処理制御部１６４は、定着処理部６０に含まれるヒータ６６（図１参照）の温度を制御するとともに、定着ローラ６８（図１参照）の押圧を制御する。
【００８４】
図１に示したインラインセンサ８２を含むインライン検出部１６６は、インラインセンサ８２から出力される読取信号にノズル除去や増幅、波形整形などの所定の信号処理を施す信号処理部を含む処理ブロックである。システム制御部１４２は、当該インライン検出部により得られた検出信号に基づいて、ヘッド１００の吐出異常の有無を判断する。
【００８５】
本例に示すインクジェット記録装置１０は、ユーザインターフェース１７０を具備し、該ユーザインターフェース１７０は、オペレータ（ユーザ）が各種入力を行うための入力装置１７２と、表示部（ディスプレイ）１７４を含んで構成される。入力装置１７２には、キーボード、マウス、タッチパネル、ボタンなど各種形態を採用し得る。オペレータは、入力装置１７２を操作することにより、印刷条件の入力、画質モードの選択、付属情報の入力・編集、情報の検索などを行うことができ、入力内容や検索結果など等の各種情報は表示部１７４の表示を通じて確認することができる。この表示部１７４はエラーメッセージなどの警告を表示する手段としても機能する。
【００８６】
パラメータ記憶部１８０は、インクジェット記録装置１０の動作に必要な各種制御パラメータが記憶されている。システム制御部１４２は、制御に必要なパラメータを適宜読み出すとともに、必要に応じて各種パラメータの更新（書換）を実行する。
【００８７】
プログラム格納部１８４は、インクジェット記録装置１０を動作させるための制御プログラムが格納されている記憶手段である。システム制御部１４２（又は装置各部）は、装置各部の制御を実行する際にプログラム格納部１８４から必要な制御プログラムを読み出すとともに、該制御プログラムを適宜実行する。
【００８８】
メンテナンス制御部１８６は、システム制御部１４２から送られてくる指令信号に基づき、メンテナンス処理部１８８の動作を制御する制御ブロックである。インクジェット記録装置１０の制御がメンテナンスモードに移行すると、ヘッド１００を描画胴４４の真上の印刷位置からメンテナンス位置に移動させるとともに、ヘッド１００の移動に対応して、メンテナンス処理部１８８の各部を動作させる。
【００８９】
〔メンテナンス処理部の詳細な説明〕
次に、図５に図示したメンテナンス処理部１８８について、さらに詳細に説明する。
【００９０】
（全体構成）
図６は、描画部４０と、描画部４０に隣接して設けられているメンテナンス処理部１８８とを図示した斜視図である。同図に示すように、メンテナンス処理部１８８は描画胴４４の軸方向の外側に隣接して設けられている。メンテナンス処理部１８８には、インクジェットヘッド４８Ｍ，４８Ｋ，４８Ｃ，４８Ｙのノズル面１１４Ａ（図４参照）に洗浄液を付与するヘッド洗浄部２００と、ブレードなどの払拭部材によりノズル面１１４Ａを拭き取る払拭部２７４と、ノズル１０８（図４参照）のパージ（予備吐出）及び吸引を行うときに使用されるノズルキャップ２７６と、を具備し、描画部４０に近い方からヘッド洗浄部２００（破線により図示）、払拭部２７４（一部を破線により図示）、ノズルキャップ２７６がこの順に並んで配置されている。
【００９１】
各色に対応したインクジェットヘッド４８Ｍ，４８Ｋ，４８Ｃ，４８Ｙを搭載したヘッドユニット２８０は、描画胴４４の回転軸２８２と平行に配置されたボールネジ２８４に取り付けられている。ボールネジ２８４の下側には、ボールネジ２８４と平行にガイド軸２８４Ｇが配置されており、ヘッドユニット２８０はこのガイド軸２８４Ｇに摺動自在に係合している。また、ヘッドユニット２８０の下側には当該ヘッドユニット２８０の移動を案内するガイド溝２８６Ａを有するガイドレール部材２８６がボールネジ２８４と平行に配設されている。
【００９２】
インクジェットヘッド４８Ｍ，４８Ｋ，４８Ｃ，４８Ｙを一体的に保持するヘッドユニット２８０の筐体２８８の下面には、ガイド溝２８６Ａに係合する係合部（不図示）が突出して形成されており、この係合部がガイド溝２８６Ａに摺動自在に係合した構造によって、ヘッドユニット２８０はガイド溝２８６Ａに案内されて移動可能となっている。
【００９３】
ボールネジ２８４、ガイド軸２８４Ｇ、ガイドレール部材２８６は、図６に示すように、ヘッドユニット２８０を描画胴４４の上部の画像形成位置（印刷位置、描画位置）Ｐ１から、ノズルキャップ２７６と対向する位置（キャッピング位置）Ｐ２まで移動させることができるように、所要の長さで描画胴４４の軸方向に沿って延設されている。なお、本例に示すインクジェット記録装置１０における「メンテナンス位置」とは、ヘッド洗浄部２００による処理位置（洗浄位置）からキャッピング位置Ｐ２までの領域が含まれる。
【００９４】
ボールネジ２８４は、不図示の駆動手段（例えば、モータ）により回転され、この回転により、ヘッドユニット２８０は、画像形成位置Ｐ１とメンテナンス位置Ｐ２との間を移動する。また、ヘッドユニット２８０は、図示せぬ上下移動機構により、描画胴４４から遠ざかる方向、又は描画胴４４に近づく方向に移動させることができる。
【００９５】
使用する記録媒体１４の厚さに応じて、描画胴４４表面に対するヘッドユニット２８０の高さ（記録媒体１４の記録面と各インクジェットヘッド４８Ｍ，４８Ｋ，４８Ｃ，４８Ｙとのクリアランス）が制御される。また、用紙搬送時にジャムなどが発生した場合には、ヘッドユニット２８０を図６の上方向に移動させ、画像形成時の所定高さ位置から退避させることができる。
【００９６】
なお、ヘッドユニット２８０の筐体２８８と、ボールネジ２８４及びガイド軸２８４Ｇとの連結部２８９は、図６に示すように、ヘッドユニット２８０の上下方向の移動を案内する直動可能な係合構造２８９Ａが採用されている。
【００９７】
かかる構造を有するメンテナンス処理部１８８によるメンテナンス処理では、ヘッド洗浄部２００においてヘッド１００のノズル面（図４参照）に洗浄液が付与され、払拭部２７４においてノズル面１１４Ａに払拭処理が施され、ノズルキャップ２７６においてパージ又は吸引などのノズルを介したインク排出処理が施される。
【００９８】
（ヘッド洗浄部）
次に、ヘッド洗浄部２００について説明する。なお、以下の説明では、図６に図示したインクジェットヘッド４８Ｍ，４８Ｋ，４８Ｃ，４８Ｙを総称して「ヘッド１００」と記載する。
【００９９】
図７は、ヘッド洗浄部２００の概略構造を模式的に図示した説明図である。なお、同図はフルライン型のヘッド１００の幅方向（副走査方向）から見た図であり、同図における紙面を貫く方向はヘッド１００の長手方向（記録媒体搬送方向と直交する主走査方向）である。図７に示すヘッド洗浄部２００は、１回に１つのヘッド１００に対して洗浄液付与処理を行うものである。
【０１００】
図７に示すヘッド洗浄部２００は、ヘッド１００のノズル面１１４Ａに塗布する洗浄液が保持される洗浄液保持面２０２を有し、洗浄液保持面２０２に洗浄液を供給する洗浄液供給ノズル２０４が洗浄液保持面２０２の傾斜の上側端部２０６の近傍に設けられる洗浄液塗布ユニット２０８と、洗浄液ユニットに供給される洗浄液を貯留する洗浄液タンク２１０と、洗浄液保持面２０２への洗浄液の供給量（単位時間あたりの洗浄液供給量）を制御する供給ポンプ２１２と、を具備している。
【０１０１】
供給ポンプ２１２を所定の回転速度で加圧方向に動作させると、供給流路２１３及び洗浄液塗布ユニット２０８内の流路２１５を介して、洗浄液タンク２１０から洗浄液供給ノズル２０４へ洗浄液が送液され（図７に符号Ｓを付して洗浄液塗布ユニット２０８内の送液方向を図示）、洗浄液供給ノズル２０４から洗浄液保持面２０２へ一定量の洗浄液が供給される。ヘッド１００のノズル面１１４Ａと洗浄液保持面２０２の間に、洗浄液供給ノズル２０４から流し込まれたわずかな量の洗浄液２１４は、ノズル面１１４Ａの撥液性を利用して濡れ広がるとともに、ノズル面１１４Ａと洗浄液保持面２０２との間にメニスカス（コート層）２１６を形成しながら傾斜した洗浄液保持面２０２を滑り落ちる。図７に符号Ｆを付した白抜き矢印線は、洗浄液のコート層２１６の移動方向（図７における右上から左下方向）を示している。
【０１０２】
傾斜した洗浄液保持面２０２を滑り落ちた洗浄液は、洗浄液保持面２０２の傾斜の下側端部２１８の外側に設けられた回収トレイ２２０に落下する。回収トレイ２２０は、回収流路２２２を介して洗浄液タンク２１０と連通されており、回収流路２２２に設けられた回収ポンプ２２４を動作させると、回収トレイ２２０に集められた使用済みの洗浄液は、回収流路２２２に設けられたフィルタ２２６により異物が除去され、洗浄液タンク２１０に送液され、再利用される。
【０１０３】
洗浄液は、ノズル面１１４Ａに付着したインクを溶解させる機能や、固化したインクをノズル面１１４Ａから剥離させる機能を有していればよく、例えば、水（純水）を適用することができる。また、水などの溶媒に所定の溶質成分を溶解させた水溶液を適用してもよい。
【０１０４】
洗浄液供給ノズル２０４から洗浄液保持面２０２の傾斜の下側端部２１８までの長さは、少なくともヘッド１００（ノズル面１１４Ａ）のノズルが配設されるノズル配設領域のヘッド１００の長手方向（傾斜方向）の長さＷ１を超えていればよく、両側のヘッドカバー１０４，１０６の長さＷ２を足した長さ（Ｗ１＋Ｗ２×２）を超えることがより好ましい。
【０１０５】
図７には、洗浄液保持面２０２の傾斜の上側端部２０６に洗浄液供給ノズル２０４を具備する態様を例示したが、洗浄液供給ノズル２０４は、ノズル１０８（図４参照）が設けられるノズル配設領域よりも傾斜上側であればよい。また、洗浄液供給ノズル２０４はヘッド１００の長手方向について少なくとも１つ設けられていればよいが、ヘッド１００の長手方向について複数の洗浄液供給ノズル２０４を備える態様も可能である。
【０１０６】
洗浄液が、ノズル面１１４Ａと洗浄液保持面２０２との間にメニスカスを形成しながら傾斜面を滑り落ちるためには、ノズル面の表面性（接触角、表面粗さ等）、洗浄液保持面の表面性（接触角、表面粗さ等）、洗浄液の物性（粘度等）、洗浄液の平均流速（単位時間あたりの供給量）、洗浄液供給口の形状、サイズなどのパラメータを適宜最適化する必要がある。洗浄液供給ノズル２０４の配置について、以下に詳細に説明する。
【０１０７】
（洗浄液供給ノズルの説明）
図８は、洗浄液供給ノズル２０４の配置を模式的に表した説明図であり、不図示のヘッド側（上側）から洗浄液保持面２０２を見ている。ヘッド１００（図７参照）が停止ししている状態では、洗浄液供給ノズル２０４から供給された洗浄液はすべて洗浄液供給ノズル２０４の傾斜の下側端部２１８へ流れ落ちるため、ヘッド１００（ノズル面１１４Ａ）の傾斜方向全域に対して洗浄液によるコート層（液膜）２１６（図７参照）を容易に生成することが可能となる。なお、図８に示す下向きの矢印線は、洗浄液の流れ方向を表している。
【０１０８】
一方、メンテナンス時間の短縮を目的として、ヘッドを移動させた状態でノズル面１１４Ａへの洗浄液の付与が行われると、ヘッドの移動方向（左向きの矢印線により図示）に流れる力が生じるために、洗浄液保持面２０２のヘッド移動方向における下流側端部２３０から洗浄液が流れ落ち、ノズル面１１４Ａと洗浄液保持面２０２との間に洗浄液のコート層２１６が形成されない領域が生じてしまう。図８に示す左斜め下向きの矢印線は、洗浄液保持面２０２のヘッド移動方向における下流側端部２３０から流れ落ちる洗浄液の方向を表している。すなわち、ヘッドを移動させながらノズル面に洗浄液を付与すると、洗浄液はヘッドの移動に引きずられて斜め下方向に向かって流れ落ちるために、図８にドットハッチを付して図示した領域には洗浄液のコート層２１６が形成されないことがあり得る。
【０１０９】
そこで、本発明に係るヘッド洗浄部２００は、洗浄液供給ノズル２０４の配置が所定の条件を満たすように最適化されることで、洗浄液供給ノズル２０４から洗浄液保持面２０２へ供給された洗浄液が下側端部２１８の全域に到達し、洗浄液が付与されない領域の発生が防止されている。
【０１１０】
図９は、洗浄液供給ノズル２０４の最適化の配置例を示す図である。同図に示す洗浄液供給ノズル２０４は、洗浄液保持面２０２のヘッド移動方向における中央位置２３２よりも、同方向の上流側に配置されている。すなわち、洗浄液供給ノズル２０４の同方向側（図中左側）の外縁が、洗浄液保持面２０２のヘッド移動方向における中央位置２３２よりも同方向の上流側に配置されることで、洗浄液にヘッドの移動方向と平行な流れが生じたとしても、すべての洗浄液が下側端部２１８に達するので、ノズル面１１４Ａの必要な領域に洗浄液が付与される。
【０１１１】
この洗浄液供給ノズル２０４の配置位置は、洗浄液保持面２０２のヘッド移動方向における下流側端部２３０から中央位置２３２までの距離（後端長さ）Ｈ（ｍ）、洗浄液供給ノズル２０４の中心から洗浄液保持面２０２の傾斜方向における下側端部２１８までの距離Ｌ（ｍ）、洗浄液保持面２０２における洗浄液の平均流速ｕ（ｍ／ｓｅｃ）、ヘッド移動速度ｖ（ｍ／ｓｅｃ）の値の他、洗浄液の粘度、洗浄液保持面２０２の傾斜角度、洗浄液保持面２０２の表面粗さ（洗浄液保持面２０２に対する洗浄液の接触角）、ノズル面１１４Ａに対する洗浄液の接触角、ノズル面１１４Ａと洗浄液保持面２０２との間隔などの条件によって適宜設定される。
【０１１２】
図９では、洗浄液保持面２０２のヘッド移動方向における中央位置２３２の直近に洗浄液供給ノズル２０４が設けられる態様を例示したが、洗浄液保持面２０２のヘッド移動方向における上流側端部２３４の近傍に洗浄液供給ノズル２０４が設けられる態様も可能である。
【０１１３】
上記の如く構成されたヘッド洗浄部２００を備えたインクジェット記録装置１０によれば、ヘッド１００のノズル面１１４Ａに洗浄液を供給するヘッド洗浄部２００において、洗浄液供給ノズル２０４のヘッド移動方向側の外縁が、洗浄液保持面２０２の同方向における中央位置２３２よりも同方向の上流側に配置されるので、ヘッド１００を移動させながらノズル面１１４Ａへ洗浄液を供給しても、洗浄液保持面２０２のヘッド移動方向の下流側端部２３０から洗浄液が落下して、ノズル面１１４Ａに洗浄液が付与されない領域が発生することが回避され、好ましいノズル面１１４Ａの洗浄が実現される。
【０１１４】
本例では、洗浄液供給ノズル２０４の開口形状が円形状である態様を例示したが、洗浄液供給ノズル２０４の開口形状は円形状に限定されず、四角形などの多角形形状やだ円としてもよい。また、複数の洗浄液供給ノズル２０４を備え、該複数の洗浄液供給ノズル２０４がヘッド１００の移動方向について並べられた態様も好ましい。
【０１１５】
また、本例では、洗浄液供給ノズル２０４を１つ備える態様を例示したが、洗浄液供給ノズル２０４を複数備える態様も可能である。かかる態様では、ヘッド移動方向において最も下流側の洗浄液供給ノズル２０４を基準として、洗浄液供給ノズル２０４の最適配置が決められる。
【０１１６】
本例に示すヘッド洗浄部２００は、１つのヘッド１００に対応するように構成されている。複数のヘッドに対して洗浄液付与処理を実行する場合は、１つのヘッド洗浄部２００を用いて１ヘッドずつ洗浄液付与処理を実行してもよいし、複数のヘッド洗浄部２００を備えて、複数のヘッド１００について同時に洗浄液付与処理を実行してもよい。
【０１１７】
また、本例では、インクジェット記録装置１０に含まれる形態のヘッド洗浄部２００を示したが、ヘッド洗浄部２００をインクジェット記録装置１０と独立した別装置とすることも可能である。
【０１１８】
〔第１応用例〕
次に、上記実施形態の第１応用例として、複数のヘッドに対応した一体構造を有する洗浄液塗布ユニット３０８がヘッド洗浄部３００に具備される態様について説明する。先に説明したヘッド洗浄部２００（図７〜９参照）は、１ヘッドに対応して、１回の処理で１ヘッドに対して洗浄液を付与できる形態の洗浄液塗布ユニット２０８が具備されているが、複数のヘッドに対して同時に、かつ、一括して洗浄液付与処理を実行することができる形態も可能である。
【０１１９】
図１０は、４つのヘッド１００‐１，１００‐２，１００‐３，１００‐４に対応する一体構造を有する洗浄液塗布ユニット３０８の概略構成を示す図である。同図に示す洗浄液塗布ユニット３０８は、４つのヘッド１００‐１，１００‐２，１００‐３，１００‐４のそれぞれに対応する洗浄液保持面３０２‐１，３０２‐２，３０２‐３，３００‐４を具備するとともに、洗浄液保持面３０２‐２の傾斜の上側端部に洗浄液保持面３０２‐１，３０２‐２へ洗浄液を供給する洗浄液供給ノズル３０４‐１が設けられ、洗浄液保持面３０２‐３の上側端部に洗浄液保持面３０２‐３，３０２‐４へ洗浄液を供給する洗浄液供給ノズル３０４‐２が設けられている。
【０１２０】
同図に示す洗浄液保持面３０２‐１，３０２‐２，３０２‐３，３００‐４は、それぞれヘッド１００‐１，１００‐２，１００‐３，１００‐４のノズル面１１４Ａ‐１，１１４Ａ‐２，１１４Ａ‐３，１１４Ａ‐４の傾斜角度に対応する傾斜を有し、洗浄液保持面３０２‐１と洗浄液保持面３０２‐２は連続する面であり、洗浄液保持面３０２‐３と洗浄液保持面３０２‐４は連続する面である。洗浄液供給ノズル３０４‐１から供給された洗浄液は、ヘッド１００‐２（ノズル面１１４Ａ‐２）と洗浄液保持面３０２‐２の間にコート層３１６‐２を形成するとともに、ヘッド１００‐１（ノズル面１１４Ａ‐１）と洗浄液保持面３０２‐１の間にコート層３１６‐１を形成する。
【０１２１】
同様に、洗浄液供給ノズル３０４‐２から供給された洗浄液は、ヘッド１００‐３（ノズル面１１４Ａ‐３）と洗浄液保持面３０２‐３の間にコート層３１６‐３を形成するとともに、ヘッド１００‐４（ノズル面１１４Ａ‐４）と洗浄液保持面３０２‐４の間にコート層３１６‐４を形成する。図１０に示す白抜き矢印線は洗浄液の流れ方向を表している。
【０１２２】
かかる構造を有するヘッド洗浄部３００によれば、複数のヘッドに対して同時に洗浄液付与処理を実行することができ、メンテナンス時間を大幅に短縮することが可能である。本応用例では、すべてのヘッド１００‐１〜１００‐４に対して一括して洗浄液付与処理を実行することができる洗浄液塗布ユニット３０８を示したが、かかる洗浄液塗布ユニット３０８を二分割して、ヘッド１００‐１，１００‐２に対応する洗浄液塗布ユニット３０８‐１、及びヘッド１００‐３，１００‐４に対応する洗浄液塗布ユニット３０８‐２という、２つの洗浄液塗布ユニット３０８を具備する構成も可能である。
【０１２３】
〔第２応用例〕
次に、本発明の第２応用例に係るヘッド洗浄部４００について説明する。図１１は、洗浄液塗布ユニット４０８の洗浄液保持面４０２に対向する側（ヘッド１００のノズル面１１４Ａ側）から、洗浄液保持面４０２に洗浄液を供給するように構成されたヘッド洗浄部４００の概略構成図である。
【０１２４】
同図に示すヘッド洗浄部４００は、洗浄液保持面４０２の傾斜の上部における洗浄液保持面４０２と対向する位置に洗浄液供給部４０５が設けられている。洗浄液供給部４０５の洗浄液保持面４０２と対向する面には洗浄液供給ノズル４０４が設けられている。図１１に符号Ｓ’を付した白抜き矢印線は、洗浄液供給部４０５内の洗浄液の移動方向（図１１における下方向）を表している。
【０１２５】
なお、図１１では図示を省略したが、図１１に示す洗浄液供給部４０５に付随して、図７に図示した洗浄液タンク２１０、及び供給ポンプ２１２、回収トレイ２２０、回収ポンプ２２４、フィルタ２２６などが設けられている。図１１に図示した洗浄液塗布ユニット４０８は、洗浄液保持面４０２と対向する面から洗浄液が供給される点以外は、図７に図示した洗浄液塗布ユニット４０８と同一の構造を有しており、ノズル面１１４Ａと洗浄液保持面４０２との間に洗浄液供給ノズル４０４から洗浄液がわずかに供給され、洗浄液はノズル面１１４Ａと洗浄液保持面４０２との間を濡れ広がりながら傾斜の上側端部４０６から下側端部４１８へ移動し、洗浄液のコート層４１６が形成される。
【０１２６】
かかる構造を有するヘッド洗浄部４００は、洗浄液保持面４０２と、洗浄液供給ノズル４０４（洗浄液供給部４０５）とのヘッド移動方向における位置が最適化されている。すなわち、洗浄液供給ノズル４０４のヘッド移動方向下流側の外縁が、洗浄液保持面４０２の同方向における中央位置よりも同方向の上流側に配置されている。
【０１２７】
本例では、記録媒体にカラー画像を形成するインクジェット記録装置について説明したが、本発明の適用範囲はいわゆるグラフィック用途の印刷装置に限定されず、工業用途のレジスト塗布装置、微細パターン形成装置等のインクジェット方式のヘッドを備えた液体吐出装置、画像形成装置に対して適用可能である。
【０１２８】
また、本発明の適用範囲は上記実施形態及び応用例に限定されるものではなく、適宜構成の変更、追加、削除をすることが可能である。
【０１２９】
〔付記〕
上記に詳述した実施形態についての記載から把握されるとおり、本明細書では以下に示す発明を含む多様な技術思想の開示を含んでいる。
【０１３０】
（発明１）：水平面に対して液体吐出面が傾けられたインクジェットヘッドの前記液体吐出面に対応して水平面に対して傾けられた洗浄液保持面を具備し、前記洗浄液保持面と前記液体吐出面とを対向させた状態において、前記洗浄液保持面が前記液体吐出面との間に所定の間隔を有するように配置される構造を有する洗浄液保持手段と、前記インクジェットヘッドの液体吐出面と前記洗浄液保持面とを対向させ、前記液体吐出面と前記洗浄液保持面との前記所定の間隔を一定に保ちつつ、前記洗浄液保持面と略平行な面内において前記洗浄液保持手段とを相対的に移動させる相対移動手段と、前記洗浄液保持面と前記液体吐出面とを対向させた状態において、前記洗浄液保持面の傾斜の上部から前記洗浄液保持面に対して洗浄液を供給する洗浄液供給口を具備する洗浄液供給手段と、を備え、前記洗浄液供給手段は、前記洗浄液供給口の前記洗浄液保持手段を固定して前記インクジェットヘッドを移動させるときの移動方向下流側の外縁が、前記洗浄液保持面の前記移動方向における中央よりも上流側に配置される構造を有し、前記洗浄液保持面と前記液体吐出面との間にメニスカスを形成しつつ、前記洗浄液保持面に供給された洗浄液が前記液体吐出面に接触しながら前記洗浄液保持面の傾斜を滑り落ちるように構成されることを特徴とするヘッド洗浄装置。
【０１３１】
本発明によれば、インクジェットヘッドと洗浄液保持手段との相対移動によって、洗浄液供給口から洗浄液保持面へ供給された洗浄液が該相対移動方向へ引かれて洗浄液保持面の該相対移動方向の端部から流出してしまうことがなく、洗浄液保持面の傾斜上部から下部にわたって前記洗浄液保持面と前記液体吐出面との間にメニスカスが形成され、好ましい液体吐出面への洗浄液の付与が実現される。
【０１３２】
相対移動手段の移動方向の一例として、洗浄液保持手段を固定して、洗浄液保持手段に対してインクジェットヘッドを移動させる態様が挙げられる。また、長尺のインクジェットヘッドを具備する態様では、長手方向についてインクジェットヘッドを移動させる態様が挙げられる。
【０１３３】
洗浄液供給口の平面形状は、円形状、だ円形状、四角形形状などの形状を適用可能である。また、洗浄液供給口を複数備える態様も可能である。
【０１３４】
（発明２）：発明１に記載のヘッド洗浄装置において、前記洗浄液供給口は、前記洗浄液供給口の前記移動方向の下流側の外縁の位置から前記洗浄液保持面の前記移動方向の下流側の端部までの長さＨが、前記洗浄液供給口の前記移動方向の下流側の外縁の位置から前記洗浄液保持面の前記移動方向の上流側の端部までの長さの２倍以上となる位置に配置されることを特徴とする。
【０１３５】
かかる態様によれば、洗浄液供給口の移動方向の下流側の外縁の位置から洗浄液保持面の移動方向の下流側の端部までの長さＨがより大きくなるように洗浄液供給口を配置することで、ヘッドと洗浄液保持手段との相対移動方向に液が移動しても、洗浄液保持面の移動方向下流側端部からの洗浄液の流出を回避しうる。
【０１３６】
例えば、洗浄液保持面を移動方向について、下流側端部から洗浄液供給口までの長さに対する洗浄液供給口から上流側の端部までの長さが１／２とされる。
【０１３７】
（発明３）：発明１又は２に記載のヘッド洗浄装置において、前記洗浄液供給口は、前記洗浄液保持面に設けられることを特徴とする。
【０１３８】
かかる態様によれば、洗浄液供給手段と洗浄液保持手段とを一体に構成することができ、省スペース化に寄与する。
【０１３９】
（発明４）：発明１乃至３のいずれかに記載のヘッド洗浄装置において、前記洗浄液保持面の傾斜方向の長さは、洗浄対象のインクジェットヘッドの傾斜方向における長さ以上であることを特徴とする。
【０１４０】
かかる態様によれば、インクジェットヘッドの傾斜方向の全領域について、均一に洗浄液を供給しうる。
【０１４１】
（発明５）：発明１乃至４のいずれかに記載のヘッド洗浄装置において、前記洗浄液保持手段は、複数のヘッドに対応する複数の洗浄液保持面を有することを特徴とする。
【０１４２】
かかる態様によれば、複数のインクジェットヘッドに対して同時に洗浄液の付与処理を行うことができ、洗浄液の付与処理時間を短縮することが可能である。
【０１４３】
（発明６）：発明１乃至５のいずれかに記載のヘッド洗浄装置において、前記洗浄液保持面の傾斜方向の長さは、記録媒体の最大幅に対応する長さにわたって複数のノズルが設けられたライン型インクジェットヘッドにおける短手方向の長さ以上であり、前記相対移動手段は、前記ライン型インクジェットヘッドの長手方向について、前記ライン型インクジェットヘッドを前記洗浄液保持手段に対して所定の速度で移動させることを特徴とする。
【０１４４】
かかる態様によれば、１回の処理でライン型ヘッドの液体吐出面の全面に対して、洗浄液を付与することができ、処理時間の短縮化が見込まれる。
【０１４５】
（発明７）：水平面に対して液体吐出面が傾けられて配置されたインクジェットヘッドと、前記インクジェットヘッドの液体吐出面に対応して水平面に対して傾けられた洗浄液保持面を具備するとともに、前記洗浄液保持面と前記液体吐出面とを対向させた状態において、前記洗浄液保持面が前記液体吐出面との間に所定の間隔を有するように配置される構造を有する洗浄液保持手段を具備し、前記インクジェットヘッドの液体吐出面に洗浄液を塗布するヘッド洗浄装置と、前記インクジェットヘッドの液体吐出面と前記洗浄液保持面とを対向させ、前記液体吐出面と前記洗浄液保持面との前記所定の間隔を一定に保ちつつ、前記洗浄液保持面と略平行な面内において前記インクジェットヘッドと前記洗浄液保持手段とを相対的に移動させる相対移動手段と、を備え、前記ヘッド洗浄装置は、前記洗浄液保持面と前記液体吐出面とを対向させた状態において、前記洗浄液保持面の傾斜の上部から前記洗浄液保持面に対して洗浄液を供給する洗浄液供給口を具備する洗浄液供給手段を備えるとともに、前記洗浄液供給手段は、前記洗浄液供給口の前記洗浄液保持手段を固定して前記インクジェットヘッドを移動させるときの移動方向下流側の外縁が、前記洗浄液保持面の前記移動方向における中央よりも上流側に配置される構造を有し、前記洗浄液保持面と前記液体吐出面との間にメニスカスを形成しつつ、前記洗浄液保持面に供給された洗浄液が前記液体吐出面に接触しながら前記洗浄液保持面の傾斜を滑り落ちるように構成されることを特徴とする画像形成装置。
【０１４６】
画像形成装置には、インクジェットヘッドからインクを吐出して記録媒体上に画像を形成するインクジェット記録装置が含まれる。
【０１４７】
（発明８）：発明７に記載の画像形成装置において、円筒形状の外周面に記録媒体を固定する記録媒体固定領域を具備する記録媒体固定部材を有し、前記記録媒体固定部材を円筒形状の回転軸の回りに回転させて記録媒体を所定の方向に搬送する記録媒体搬送手段と、前記記録媒体固定部材の外周面に沿って前記外周面に対向する位置に水平面に対して傾けられて配置される複数の液体のそれぞれに対応する複数のインクジェットヘッドと、を備え、前記洗浄液保持手段は、前記複数のインクジェットヘッドのそれぞれに対応して傾斜の異なる複数の洗浄液保持面を有することを特徴とする。
【０１４８】
かかる態様において、当該装置に搭載されるすべてのインクジェットヘッドに対応するように、インクジェットヘッドと同数の洗浄液保持面を具備する態様が好ましい。
【０１４９】
（発明９）：水平面に対して液体吐出面が傾けられたインクジェットヘッドの前記液体吐出面に対応して水平面に対して傾けられ、前記液体吐出面と対向させた状態において、前記液体吐出面との間に所定の間隔を有するように配置された洗浄液保持面と、前記インクジェットヘッドとを、前記所定の間隔を保ちつつ前記洗浄液保持面と略平行な面内において相対的移動させる相対移動工程と、前記洗浄液保持面を固定して前記インクジェットヘッドを移動させるときの移動方向下流側の外縁が、前記洗浄液保持面の前記移動方向における中央よりも上流側に位置するように配置された洗浄液供給口から洗浄液が供給され、前記洗浄液保持面に供給された洗浄液が、前記洗浄液保持面と前記液体吐出面との間にメニスカスを形成しつつ、前記液体吐出面に接触しながら前記洗浄液保持面の傾斜の上部から下部へ前記洗浄液保持面の傾斜を滑り落ちる洗浄液供給工程と、を含むことを特徴とするヘッド洗浄方法。
【符号の説明】
【０１５０】
１０…インクジェット記録装置、４４…描画胴、４８Ｍ，４８Ｋ，４８Ｃ，４８Ｙ，１００…インクジェットヘッド、２００，３００，４００…ヘッド洗浄部、１１４Ａ…ノズル面、２０２，３０２，４０２…洗浄液保持面、２０４，３０４，４０４…洗浄液供給ノズル、２８４…ボールネジ、２８４Ｇ…ガイド軸
【図１】
0005230030.tif 000002
【図２】
0005230030.tif 000003
【図３】
0005230030.tif 000004
【図４】
0005230030.tif 000005
【図５】
0005230030.tif 000006
【図６】
0005230030.tif 000007
【図７】
0005230030.tif 000008
【図８】
0005230030.tif 000009
【図９】
0005230030.tif 000010
【図１０】
0005230030.tif 000011
【図１１】
0005230030.tif 000012